(57)【特許請求の範囲】
【請求項１】
一時的に溜水を形成するボウル部と、前記ボウル部に溜水を保持する溜水保持部と、ボウル部からの排水を加圧して排出する加圧排出部と、
前記ボウル部の側方に備えた排水排出口と、前記溜水保持部の排水流入口と、前記加圧排出部の側方に設けた排水流入口と、を接続した状態で支持する固定部材と、を備えて成る排水ユニットであって、
前記固定部材は、ボウル部を固定する第一のプレート材と、他の第二のプレート材と、前記第一，第二のプレート材との間に立設されるフレーム材とから成り、第一のプレート材は、ボウル部の水平断面と相似の切り欠き部を有し、ボウル部を前記切り欠き部に嵌合させてなることを特徴とする排水ユニット。
【請求項２】
一時的に溜水を形成するボウル部と、前記ボウル部に溜水を保持する溜水保持部と、ボウル部からの排水を加圧して排出する加圧排出部と、
前記ボウル部の側方に備えた排水排出口と、前記溜水保持部の排水流入口、及び排水流出口と、前記加圧排出部の側方に設けた排水流入口と、を接続した状態で支持する固定部材と、を備えて成る排水ユニットであって、
前記固定部材は、略水平に置かれた第一のプレート材と、前記第一のプレート材に立設される第二のプレート材，及び第三のプレート材とから成り、
前記第二，第三のプレート材は、ボウル部の鉛直断面と相似の切り欠き部を有し、
前記ボウル部は、前記切り欠き部に上方から嵌合させて固定することを特徴とする排水ユニット。
【請求項３】
一時的に溜水を形成するボウル部と、前記ボウル部に溜水を保持する溜水保持部と、ボウル部からの排水を加圧して排出する加圧排出部と、
前記ボウル部の側方に備えた排水排出口と、前記溜水保持部の排水流入口と、前記加圧排出部の側方に設けた排水流入口と、を接続した状態で支持する固定部材と、を備えて成る排水ユニットであって、
前記固定部材は、エルボ状に成形された第一フレーム材，及び第二フレーム材と、これらの間を横方向に懸架接続した第三のフレーム材とから成り、
前記第一，第二のフレーム材は、前記ボウル部の両側面から突出した取付用軸を固定する軸受けを設けてなることを特徴とする排水ユニット。
【請求項４】
前記排水ユニットは、前記ボウル部が水平になるように角度調整可能な角度調整部が、前記ボウル部と固定部材との固定箇所に備えられることを特徴とする
請求項１乃至３いずれかに記載の排水ユニット。
【請求項５】
前記排水ユニットは、前記ボウル部が水平になるように角度調整可能な角度調整部が、前記固定部材の接地部に備えられることを特徴とする
請求項１乃至３いずれかに記載の排水ユニット。
【発明の詳細な説明】
【０００１】
【発明の属する技術分野】
本発明は排水圧送装置の固定構造に関する。
【０００２】
【従来の技術】
従来の汚物圧送装置として、例えば、図１９，図２０に示す特開平１１−３４２０９２が知られている。この装置は、ボウル部１の下部に開閉弁２１を介して屎尿タンク９４を密着させており、ボウル部１と屎尿タンク９４が上下に構成されているため、装置の高さが大きくなる問題があった。また、装置の位置決め，固定は、下部に置かれた屎尿タンク９４のみを架台４で固定する事で行われ、外装体８にて装置全体を覆ってはじめて、上部に位置するボウル部１の位置が決まる。
また、この装置は、一旦設置されると、ボウル部１、開閉弁２、加圧排出部３の位置、高さ、角度の調整が不可能である。
【０００３】
【発明が解決しようとする課題】
従来の方法によると、ボウル部１の支持は下方に設置される加圧排出部３による為、最上部に位置するボウル部１は外装体８が無いと不安定な状態であった。また、ボウル部１を加圧排出部３の横に配置して、ボウル部１から加圧排出部３までの排水の流れを略水平とすることで、装置全体の高さを小さく抑えるた場合、排水の流れ方向と逆勾配になるような設置状態を避ける必要がある。
また、ボウル部１と溜水保持部２と加圧排出部３の配置上、それぞれ互いの位置関係が所定になるように固定される必要がある。
また、特に、ボウル部１と溜水保持部２と加圧排出部３とが横並びに設置さる場合、構造上、ボウル部１を支持するために溜水保持部２や加圧排出部３への強度的負担が増す。
また、メンテナンスなどの為に下方の開閉弁２や加圧排出部３を取り外す場合や点検する場合、支持されないボウル部１を取り外す必要があり、作業が煩雑となる。
【０００４】
本発明の主な目的は、洗浄水によりボウル部内の汚水を下水など系外へ圧送排出するとともに、ボウル部に隣接して、溜水保持部と加圧排出部とを位置させた排水ユニットと、前記排水ユニットを組付けて成る排水器具において、ボウル部を支持固定し、且つ、ボウル部及び溜水保持部及び加圧排出部が互いに所定の位置関係になるように、且つ、排水ユニット内の、ボウル部と、溜水保持部と、加圧排出部とを適正な状態で設置固定することである。
【０００５】
【課題を解決するための手段、作用及び効果】
請求項１記載の発明は、一時的に溜水を形成するボウル部と、前記ボウル部に溜水を保持する溜水保持部と、ボウル部からの排水を加圧して排出する加圧排出部と、前記ボウル部の側方に備えた排水排出口と、前記溜水保持部の排水流入口と、前記加圧排出部の側方に設けた排水流入口と、を接続した状態で支持する固定部材と、を備えて成る排水ユニットであって、前記固定部材は、ボウル部を固定する第一のプレート材と、他の第二のプレート材と、前記第一，第二のプレート材との間に立設されるフレーム材とから成り、第一のプレート材は、ボウル部の水平断面と相似の切り欠き部を有し、ボウル部を前記切り欠き部に嵌合させてなることを特徴とする。
【０００６】
また、請求項２記載の発明は、一時的に溜水を形成するボウル部と、前記ボウル部に溜水を保持する溜水保持部と、ボウル部からの排水を加圧して排出する加圧排出部と、前記ボウル部の側方に備えた排水排出口と、前記溜水保持部の排水流入口、及び排水流出口と、前記加圧排出部の側方に設けた排水流入口と、を接続した状態で支持する固定部材と、を備えて成る排水ユニットであって、前記固定部材は、略水平に置かれた第一のプレート材と、前記第一のプレート材に立設される第二のプレート材，及び第三のプレート材とから成り、前記第二，第三のプレート材は、ボウル部の鉛直断面と相似の切り欠き部を有し、前記ボウル部は、前記切り欠き部に上方から嵌合させて固定することを特徴とする。
【０００７】
また、請求項３記載の発明は、一時的に溜水を形成するボウル部と、前記ボウル部に溜水を保持する溜水保持部と、ボウル部からの排水を加圧して排出する加圧排出部と、前記ボウル部の側方に備えた排水排出口と、前記溜水保持部の排水流入口と、前記加圧排出部の側方に設けた排水流入口と、を接続した状態で支持する固定部材と、を備えて成る排水ユニットであって、前記固定部材は、エルボ状に成形された第一フレーム材，及び第二フレーム材と、これらの間を横方向に懸架接続した第三のフレーム材とから成り、前記第一，第二のフレーム材は、前記ボウル部の両側面から突出した取付用軸を固定する軸受けを設けてなることを特徴とする。
【０００８】
請求項１乃至３によると、ボウル部と溜水保持部と加圧排出部が、互いに所定の位置関係になるよう支持固定する、固定部材を備える事により、ボウル部を独立して支持でき、且つ、排水装置として一体の構成を保持する事ができる。
すなわち、ボウル部にリンクする他のパーツへの荷重負担を軽減できる。また、ボウル部を固定したままで他のパーツのメンテナンスなどの作業も容易に行う事ができる。また、ボウル部と溜水保持部と加圧排出部は予め所定の位置に配置，固定できるので、排水ユニットの組み立てにおいては、決められた順番，位置にしたがって各パーツを組付ければ良く、容易に装置を構成する事ができる。また、排水の流れを阻害するような設置不良を防止し、良好な設置状態を維持できる。
【０００９】
好適な実施形態としては、固定部材は、ボウル部と、溜水保持部と、加圧排出部とが、それぞれ予め設けられた設置位置に支持，固定されるような構造を有する。これによると、ボウル部と、溜水保持部と、加圧排出部とは、別で支持，固定されるので、前記３部品相互間の荷重負担は軽減される。また、前記３部品間の位置関係を固定化することも容易であり、装置の機能上支障の無い構造を保持することができる。
【００１０】
さらに好適な実施形態としては、溜水保持部は、ボウル部、または加圧排出部に予め接続されて、支持，固定される。これによると、固定部材には、ボウル部と加圧排出部の２部品のみを設置，固定することで済み、排水ユニットの組立て、構築は容易になる。
【００１１】
また、さらに好適な実施形態として、固定部材は、弁座を載置し、使用者の荷重を支持する構造を有する。これによると、直接使用者の荷重がボウル部に負荷されないので、構造上、ボウル部の強度を軽減できる。
また、さらに好適な実施形態として、固定部材は、コネクタ，止水栓，逆止弁，分岐継手，定流量弁，電磁弁，バキュームブレーカー、吐水ノズルを給水管路（二次管路）に備えた給水ユニットを固定するものである。これによると、排水ユニットのデッドスペースを利用して、洗浄吐水口と接続する二次給水系管路と、加圧排出部と接続する一次排水系管路と、を一式、予め備えておけるので、施工の際には、排水ユニットを設置し、１次給水管路と二次排水管路とを接続すれば済むので容易である。
【００１２】
また、さらに好適な実施形態として、前記固定部材が、前記ボウル部や、加圧排出部の設置位置を可動調整可能な構造とする。これによって、ボウル部の設置位置や、設置角度を、適宜、適当に変更可能となる。すなわち、各部品の製造公差、施工誤差を吸収することができる。
【００１３】
また、固定部材の具体例としては、フレーム材を組み合わせた構造、パネル材を組み合わせた構造、パイプ材とパネル材とを組み合わせた構造等が挙げられる。前記フレーム材としては、パイプ材、アングル材、角材、異形断面押し出し材、やそれらの曲げ材、などを適宜利用できる。また前記プレート材としては、木の合板，無垢板，集成材、金属板、プラスチックの成形板、磁器、陶器、セラミックなどの無機材、などを適宜利用できる。さらに、前記フレーム材は、溝、凹、貫通孔を有するものであって良く、それらはボウル部や加圧排出部の位置決め，固定に利用する事ができる。
【００１４】
また、さらに好適な実施形態として、ボウル部は、上縁，ボウル状溜水部，排水排出経路，排水排出口を備えてなる。前記上縁は、上部に便座が載置され、また、下部にボウル面の洗浄用水の導水路を形成する。前記排水排出口は、ボウル部の底面乃至側面に在って、前記ボウル状溜水部から排水排出経路を経て至る。特に、前記排水排出口が、ボウル部側面に在る場合、排水ユニット全体の高さを低く抑えられる。前記排水排出経路は、一部に上昇勾配を有していてもよく、この場合、溜水保持部の弁部の水密力が弱い場合であっても、前記上昇勾配部にて確実に溜水を確保することができる。
【００１５】
また、溜水保持部としては、例えば、上昇勾配を有するトラップ，可動式封水トラップ，開閉弁を有する構造であって良い。これによれば、ボウル部に溜水を形成し、排出する機構として、溜水保持部を利用することができる。ボウル部に溜水を形成するときと、排出する時において、前記可動の機構の駆動と、前記給水ユニットと、加圧排出部内のポンプなどの加圧装置と、を制御することで、排水ユニットの一連の動作フローを実現するまたさらに、前記溜水保持部が開閉自在な弁部を有する事によって、ボウル部の排水排出口から溜水保持部までの構造を簡略化することができる。開閉自在な弁部としては、回動によって開閉するフラッパー弁や、スライド式のシャッターや、ゴム弾性体を利用したピンチバルブ、などが挙げられる。
【００１６】
加圧排出部としては、ボウル部からの排水を受ける貯溜槽と、排水を加圧して排水貯溜槽から排出する加圧装置と、排水中の固形物を受けるカゴ部とを備える構造であってもよい。これによると、排水中に固形物が含まれた場合、前記カゴ部にて一旦保持して、カゴ部内で所定の大きさ以下に細分化した後、前記加圧装置にて液体との混合物を系外へと排出することができる。また、加圧排出部は、加圧装置の排水吸引口と溜水保持部とが直接接続される構造であってよい。これによると、排水ユニット全体をコンパクトにできる。
【００１７】
前記加圧装置としては，例えば、揚水ポンプ，ラインポンプ，グラインダーポンプ，スラリーポンプ，ボルテックスポンプ，エアーポンプ，ジェットポンプ等を適宜利用できる。
【００１８】
また、さらに好適な実施形態としては、前記排水ユニットが、前記排水ユニットを上方に載置する載置台と、前記載置台に固定される排水管及び給水管の配管コネクターと、前記載置台の下部にキャスターと、を備えるカートリッジカート上に設置されることにより、排水ユニットとして固定されたボウル部，溜水保持部，加圧排出部の設置状態を動かすことなく移動が可能となる。
【００１９】
請求項４記載の発明は、前記排水ユニットは、前記ボウル部が水平になるように角度調整可能な角度調整部が、前記ボウル部と固定部材との固定箇所に備えられることを特徴とする。
【００２０】
また、請求項５記載の発明は、前記角度調整部は、前記固定部材の接地部に備えられることを特徴とする。
【００２１】
請求項４または５によると、前記排水ユニットの設置状態に応じて、前記排水ユニットの設置角度を調整することが可能である。すなわち、前記排水ユニットに装着される、前記ボウル部，流水保持部，加圧排出部、を所定に設置、固定したまま、より良好な状態に角度を調整できる。具体的には、例えば、前記排水器具が仮設トイレであり、工事現場にて使用される場合である。この場合、設置地盤は整地されない箇所が多く、前記排水器具を設置したときに、内装する排水ユニットは適正な角度で置かれない事がある。したがって、前記の様な問題に対して、前記排水ユニットの角度調整によって、排水ユニットの性能を最大限に引き出すことが可能となる。
【００２２】
【発明の実施の形態】
図１は本発明の第一の実施例としての排水ユニット全体の構成図であり、排水排出口１４を側壁に有するボウル部１と、排水排出口１４に接続される溜水保持部２と、溜水保持部２の下流側に接続される加圧排出部３とが、固定部材４に、所定に固定される。
【００２３】
固定部材４は、所定間隔に置かれる上下２枚の矩形の第一のプレート材４１２、第二のプレート材４１１と、所定位置に立設される４本のフレーム材４２と、が接続固定されて構成される。また、第一のプレート材４１２の上部には、便座載置板４１６が固定されて、さらに上部に便座１１を載置する。また、固定部材４の後部には給排水電源コネクタ５が、第二のプレート材４１１と第一のプレート材４１２とに狭設、固定される。ボウル部１は、第一のプレート材４１２の前方の図示されない切り欠き部に勘合、固定される。ボウル部１の位置決めは、前記切り欠き部にてなされる。また、溜水保持部２の位置決めは、ボウル部１の排水排出口１４に予め接続固定されることで成される。さらに、加圧排出部３は、第二のプレート材４１１上の所定の位置に配置，固定されている。
【００２４】
溜水保持部２は、電動モーターの回動にて開閉をするフラップ式の開閉弁２１を内部に備える。加圧排出部３は、貯留槽３７と、その内部に、流入排水中の固形物を一時保持するカゴ部３１，その下部にポンプ３２，貯留槽内の水位の上昇を検知する水位検知部３８、を備える。ポンプ３２は、上部に、カゴ部３１内にあって流入排水を撹拌するための撹拌翼３３と、下部に、排水のポンプ室への入り口のポンプ吸い込み口３５と、を備え、排水を送通する第一圧送管３４をポンプ出口に接続している。また、貯留槽３７には、一次排水管路７４が接続され、第一圧送管３４と連通する。また、ボウル１の内面のリ上部リム下には、前記内面を水洗するための洗浄水を吐水する洗浄吐水口６２が備えられる。洗浄吐水口６２は、二次給水可撓管７２１が接続される。二次給水可撓管７２１の管路には、電磁弁６１が接続され、電磁弁６１と制御部６４と電気的に接続される。また、回動自在な便座１１と、お尻洗浄ノズル６３と、制御部６４と、を備えた局部洗浄便座６には、二次給水可撓管７２２が接続される。二次給水可撓管７２１，７２２は、給排水電源コネクタ５にて一次給水可撓管７３から分岐され、給水管コネクタ５２に接続される。
【００２５】
本実施例における排水ユニットの組み付け手順としては、まず、組み上がった固定部材４の第二のプレート材４１１上に、加圧排出部３を配置，固定する。次に、予め溜水保持部２が固定されたボウル部１を図中上方から第一のプレート材４１２上にセットし、貯留槽３７の図示されない排水流入口と溜水保持部排水流出口２４とが、水密を保てるようにスライドチャックされる。次に、局部洗浄便座６を便座載置板４１６と第一のプレート材４１２の上に設置，固定する。次に、一次排水可撓管７４と二次排水可撓管７５とを排水管コネクタ５１に接続して、連通させる。さらに、二次給水可撓管７２１，７２２を給水管コネクタ５２に接続して連通する。さらに、電源コード７１１のプラグを給排水電源コネクタ５に接続する。以上の手順で、本実施例の排水ユニット４は組み立てを完了し、所定の構造を保持する。したがって、本発明の排水ユニットを基本構成とした、様々な排水器具に用途展開する事できる。
【００２６】
図２は本発明の第二の実施例としての排水ユニット全体の構成図であり、排水排出口１４を側壁に有するボウル部１と、排水排出口１４に接続される加圧排出部３と、加圧排出部３のポンプ出口と接続する溜水保持部２とが、固定部材４に、所定に固定される。
【００２７】
固定部材４と、ボウル部１，加圧排出部３，溜水保持部２とは、第一実施例と同様に構成される。ボウル部１は、第一のプレート材４１２の前方の図示されない切り欠き部に勘合，固定される。ボウル部１の位置決めは、前記切り欠き部にてなされる。また、溜水保持部２の位置決めは、加圧排出部３の側壁に有するポンプ出口に接続，固定されることで成される。さらに、加圧排出部３は、固定具４３によって第一のプレート材４１２上の所定の位置に懸架，固定されている。また、加圧排出部３は、インライン型ポンプを有しており、前記ポンプの流入口にボウル部１の排水排出口１４が接続される。
【００２８】
溜水保持部２は、上昇管部２６と下降管部２５とから成り、下流側に一次排水可撓管７４を接続して成る。
【００２９】
本実施例における排水ユニットの組み付け手順は、第一実施例と同様の手順で、本実施例の排水ユニット４は組み立てを完了し、所定の構造を保持する。したがって、本発明の排水ユニットを基本構成とした、様々な排水器具に用途展開する事できる。
【００３０】
図３は本発明の第三の実施例としての排水ユニット全体の構成図であり、排水排出口１４を側壁に有するボウル部１と、排水排出口１４に接続される溜水保持部２と、溜水保持部２の下流側に接続される加圧排出部３とが、固定部材４に、所定に固定される。
【００３１】
固定部材４は、所定間隔に置かれる上下２枚の矩形の第一，第二のプレート材４１２，４１１と、所定位置に立設される４本のフレーム材４２と、が接続固定されて構成される。また、第一のプレート材４１２の上部には、便座固定用のベースプレート１２が固定される。また、固定部材４の後部には給排水電源コネクタ５が、第二のプレート材４１１と第一のプレート材４１２とに狭設、固定される。ボウル部１は、第一のプレート材４１２の前方の切り欠き部に勘合、固定される。ボウル部１の位置決めは、前記切り欠き部にてなされる。また、溜水保持部２の位置決めは、加圧排出部３の排水流入口に予め接続固定されることで成される。さらに、加圧排出部３は、第二のプレート材４１１上の所定の位置に配置，固定されている。
【００３２】
本実施例における排水ユニットの組み付け手順としては、前記第一実施例と同様の手順で、本実施例の排水ユニット４は組み立てを完了し、所定の構造を保持する。また、ボウル部１は、高さ調整が可能な構造であって良く、例えば、図中のフレーム材４２に固定される可動のストッパー４２１を適宜、適当な位置に合わせて固定する。ストッパー４２１は、第一のプレート材４１２を下方から支持するようになっており、設置されるボウル部１を適当な高さで固定することが可能となる。したがって、本発明の排水ユニットを基本構成とした、様々な排水器具に用途展開する事できる。
【００３３】
図４は本発明の第四の実施例としての排水ユニット全体の構成図であり、排水排出口１４を側壁に有するボウル部１と、排水排出口１４に接続される溜水保持部２と、溜水保持部２の下流側に接続される加圧排出部３とが、固定部材４に、所定に固定される。
【００３４】
固定部材４は、上部に半円状の切り欠きを有する第二プレート材４１３と弟三のプレート材４１４を、略水平に置かれた第一のプレート材４１５上の所定位置に立設して成る。
【００３５】
本実施例における排水ユニットの組み付け手順としては、所定に組まれた固定部材４の上方から、第二，第三のプレート材４１３，４１４の切り欠き部に、ボウル部１を載置する。次に、予め溜水保持部２を接続，固定した加圧排出部３を、ボウル部１の後方から接続する。この際、ボウル部１の排水排出口１４と、溜水保持部排水流入口２２とが、水密にシールされるように嵌合される。以上の手順で、本実施例の排水ユニット４は組み立てを完了し、所定の構造を保持する。したがって、本発明の排水ユニットを基本構成とした、様々な排水器具に用途展開する事ができる。
【００３６】
また、固定部材４の下部には、角度調整部４５が備えられ、排水ユニット全体の設置角度の調整を可能にしている。前記角度調整部４５は、第一のプレート材４１５に備えられる回動軸廻りを回転する楕円状カムであって良く、該楕円状カムが回転によって設置面との高さを変化させることで、排水ユニット全体の設置角度の調整を可能にするものである。
【００３７】
図５は本発明の第五の実施例としての排水ユニット全体の構成図であり、排水排出口１４を側壁に有するボウル部１と、排水排出口１４に接続される溜水保持部２と、溜水保持部２の下流側に接続される加圧排出部３とが、固定部材４に、所定に固定される。ボウル部１は、両側面から突出した取付用軸１６と、固定部材４に備えられる軸受け４４で構成される角度調整部で、装着，固定される。
固定部材４は、３本のフレーム材４２２，４２３，４２４が接続固定されて構成され、内２本はエルボ状に曲がりを有し、前方で反り立っている。該２本のフレーム材である第一のフレーム材４２２、第二のフレーム材４２３を、略水平に寝かされた他の一本である第二のフレーム材４２４で所定の間隔に接合している。
【００３８】
本実施例における排水ユニットの組み立て手順としては、第一、第二のフレーム材４２２，４２３の反り立った部分に設けられた軸受け４４に、前記ボウル部の取付軸１６を固定する。前記固定は、回動調整が可能な構造の角度調整部であってよく、ボウル部１の縦方向の角度調整が可能である。次に、予め溜水保持部２を接続，固定した加圧排出部３を、ボウル部１の後方から接続する。この際、ボウル部１の排水排出口１４と、溜水保持部排水流入口２２とが、水密にシールされるように嵌合される。さらに、加圧排出部３は、フレーム材４２２，４２３に備えられる固定具４３にて側方で固定される。該固定具４３は、縦方向及び高さ方向に位置調整可能な構造であって、取付公差を吸収する事ができる。以上の手順で、本実施例の排水ユニット４は組み立てを完了し、所定の構造を保持する。したがって、本発明の排水ユニットを基本構成とした、様々な排水器具に用途展開する事ができる。
【００３９】
また、別の実施形態としては、前記排水ユニットの設置高さを任意に調整可能な構造である事を特徴とする。これによると、前記排水器具の設置状態に応じて、前記排水ユニットを前記外装体に対する取り付け高さを調整することが可能である。すなわち、前記排水ユニットに装着される、前記ボウル部，流水保持部，加圧排出部、を所定に設置、固定したまま、より使い易い状態に高さを調整できる。具体的には、例えば、前記排水器具が洗面化粧台である場合、使用者によって、上部のカウンターを使い易い高さに調節する事で、使用勝手を向上できる。
【００４０】
図６は本発明の第六の実施例としての溜水保持部の概念図であり、上流側に溜水保持部排水流入口２２を、下流側に溜水保持部排水排出口２４を、その中間に開閉弁２１を、備える。図６（ａ）は、開閉弁２１が開状態、図６（ｂ）は、開閉弁２１が閉状態を示す。開閉弁２１は、開閉弁回動軸２３を有して、弁閉止時、開閉弁２１が弁シート部２７に当接して水密を保持し、ボウル部１に溜水を形成する。また、開閉弁２１は、開口時、開閉弁回動軸２３を軸に下流方向に０〜９０度だけ回動し、排水を排出する。
【００４１】
本実施例における開閉弁２１は、メカニカル式や電動式であって良い。メカニカル式としては、例えば、スプリング，重り，マグネット，等を適宜組み合わせて使用することができる。また、加圧排出部３内のポンプの排水圧力を利用する方法も挙げられる。また、電動式の場合、適宜駆動用モーターを使用でき、場合によって、開閉弁２１の回動角度や開口速度を制御することができる。
【００４２】
本実施例の溜水保持部２の構成によれば、所定に固定されたボウル部１と接続され、所定の溜水を確保，排出する事ができる。
【００４３】
図７は本発明の第七の実施例としての排水器具全体の構成図であり、図８は側方からみた概念図である。本実施例の排水器具は、腰掛け式大便器であって、固定部材４にて固定された排水ユニットと、これを被覆する外装体８とで構成される。前記排水ユニットは、第一実施例と同様の固定部材４にて、ボウル部１と、溜水保持部２と、加圧排出部３と、を所定に固定している。また、外装体８は、手摺り８２と、背もたれ８１と、便座取付用のベースプレート１２と、を備えて成り、上部に備えるベースプレート１２に便座１１を上方から装着するように構成される椅子である。さらに、外装体８は、給排水電源コネクタ５を備えて成り、二次排水可撓管７５と、一次給水可撓管７３と、電源コード７１と、を接続している。
【００４４】
前記排水ユニットは、外装体８の内部に装入され、排水ユニットに有する屈伸可能なように構成される一次排水可撓管７４と、二次給水可撓管７２と、を排水管コネクタ５１と、給水管コネクタ５２と、にそれぞれ接続する。その際、排水ユニットは、スライドガイド８３によって下方より支持されながら導入される。さらに、固定部材４の下部にはキャスター９３が備えられ、前記排水ユニットの移動を容易にする。
【００４５】
本実施例の排水ユニットは、容易に排水ユニットを外装体８に装着でき、使用者の荷重負荷を外装体にて支持でき、位置変更が容易な構造を実現し得た。
【００４６】
図９は本発明の第八の実施例としての排水器具全体の構成図である。本実施例の排水器具は、大便付き介護用ベッドであって、固定部材４にて固定された排水ユニットと、これを被覆する外装体８とで構成される。前記排水ユニットは、第一実施例と同様の固定部材４にて、ボウル部１と、溜水保持部２と、加圧排出部３と、を所定に固定している。また、外装体８は、寝床下方にスライドガイド８３を備えた空間を有するベッド８４であり、前記排水ユニットは、スライドガイド８３によって下方より支持されながら、ベッド８４の側方から装入される。
【００４７】
本実施例の排水器具は、容易に排水ユニットをベッド８４に装着でき、使用者の荷重負荷を外装体にて支持でき、位置変更が容易な構造を実現し得た。
【００４８】
図１０は本発明の第九の実施例としての排水器具全体の構成図である。本実施例の排水器具は、仮設用トイレであって、固定部材４にて固定された排水ユニットと、これを被覆する外装体８とで構成される。前記排水ユニットは、第一実施例と同様に固定部材４に固定される、ボウル部１及び溜水保持部２及び加圧排出部３と、手洗い器とを所定に固定している。手洗い器９は、給排水コネクタ９１を有して固定部材４に備えられた給排水電源コネクタ５と接続，固定される。また、外装体８は、側方から前記排水ユニットを装入するように構成される。
【００４９】
また、さらに好適な実施形態は、前記排水ユニットと、前記排水ユニットを被覆する外装体と、を備えてなる排水器具において、前記排水ユニットが前記外装体に着脱可能なように備えられる事である。すなわち、排水ユニットとして、ボウル部と流水保持部と加圧排出部とを、所定に組み付け固定した状態のままで外装体にセットできるので、排水器具の品質のバラツキが少ない。また、排水器具の組立施工は、予めセットされた排水ユニットを外装体に設置し、所定の配管作業を行えば完了する。また、本発明の排水器具は、メンテナンスや、部品交換、外装体の模様替え、等の際に、外装体と排水ユニットを切り離すだけで、容易に行える。
【００５０】
例えば、該排水器具が着座式便器である場合、便座、局部洗浄装置、脱臭装置、手洗い器、背もたれ、肘掛け、洗浄スイッチ、などの付帯パーツは、外装体に装着できるようにしておく。これによれば、排水ユニットを前記外装体に装着した使用状態においては、前記排水ユニットに直接使用者の体重負荷はなく、外装体の剛性によって前記体重負荷を支持すような構造にしておくことで、排水ユニット及び排水ユニットに装着されるボウル部などの部品の保証強度を低減できる。また、これによって、排水ユニットは、荷重によって、機能に支障を来すような撓みなどが生じにくくなる。
【００５１】
また、別の例としては、外装体は、病院用ベッドや介護用ベッドであっても良い。この場合、ベッド床の下方に横から前記排水ユニットを装着する様にできる。具体的には、本実施形態の排水器具は、病院の入院者で下半身が麻痺した方など、通常はおしめ等で排便を処理しているような患者が好適に利用できる物である。したがって、患者の病状に応じて本発明の排水ユニットを適宜設置する可能となる。
【００５２】
また、別の例としては、前記着座式便器と前記ベッドの組み合わせである。当初は自立してベッド脇にて前記着座式便器で排泄を行っていた使用者が、病状の悪化に伴ってベッドで行うようになるケースでは、一台の排水ユニットと外装体をそれぞれ揃えることで対応できる。
【００５３】
本実施例の排水器具は、容易に排水ユニットを仮設用トイレ８５に装着でき、使用者の荷重負荷を外装体にて支持でき、位置変更が容易な構造を実現し得た。
【００５４】
図１４は、第１０の実施形態における排水ユニットの装置構成をします系統図である。また、図１５は、第１０の実施形態における制御タイムチャートであり、使用者動作（入力）、制御（出力）、（水位の）状態、に分けて示している。使用者動作（入力）としては、着座スイッチ１０２、洗浄スイッチ１０３からの入力信号を示しており、制御（出力）としては、給水用電磁弁６１、開閉弁２１、ポンプ３２への出力信号を示している。また、（水位の）状態としては、ボウル部１内の溜水１Ａの水位、加圧排出部３内の溜水３Ａの水位を示している。なお、ポンプ３２の駆動はモータにより行われるため、ポンプ３２の駆動中には撹拌翼３３も駆動される。
【００５５】
次にこれらの動作を説明する。
［初期状態］給水用電磁弁６１、開閉弁２１は閉じ、ポンプ３２は停止しており、ボウル部内溜水１Ａの水位は０ｍｍ、加圧排出部内溜水３Ａの水位は約３０ｍｍ（水量約１Ｌ相当）である。加圧排出部内溜水３Ａの水位はポンプ吸い込み口３５の高さよりも上方であり、これは呼び水無しでポンプ３２が駆動可能であることを意味する。
【００５６】
［待機状態］使用者が便座に着座すると、着座スイッチ１０２からのＯＮ信号に基づき、制御部の電源回路１０１は給水用電磁弁６１を開き、所定時間後に給水用電磁弁６１を閉じる。
給水用電磁弁６１が開かれている間、ボウル部内溜水１Ａの水位は約５５ｍｍ（水量約０．７Ｌ相当）まで上昇する。
図１１（ａ）は、ボウル部内溜水１Ａの状態、図１１（ｂ）は、加圧排出部内溜水３Ａ状態が示されている。
【００５７】
［洗浄開始時］使用者が排泄すると、汚物の量に応じてボウル部内溜水１Ａの水位が上昇する。
続いて、使用者が洗浄スイッチ１０３を押すと、その信号に基づき制御部６４は再度給水用電磁弁６１を開く。
給水用電磁弁６１が開かれた後、ボウル部内溜水１Ａの水位は再上昇する。
図１２（ａ）は、ボウル部内溜水１Ａの状態、図１２（ｂ）は、加圧排出部内溜水３Ａ状態が示されている。
洗浄吐水口６２から供給される洗浄水は、９〜１６Ｌ／ｍｉｎが好ましい。
この状態において、重量汚物はボウル部１の底部に沈んでおり、軽量汚物は洗浄水の流れによりボウル部１内を浮遊している。
［圧送開始時］給水用電磁弁６１を開いてから所定時間後（ボウル部内溜水１Ａの水位が約８０ｍｍまで上昇すると）、制御部６４は開閉弁２１を開くと同時に、ポンプ３２を駆動する。ポンプ３２の排水能力は３０〜６０Ｌ／ｍｉｎである。
すると、ボウル部１の底部に沈んでいる重量汚物は、ボウル部内溜水１Ａの水位の水頭圧と洗浄水の水圧によって、周囲の洗浄水（溜水）とともに排水排出口１４へ移動を開始する（ボウル部内溜水１Ａの水位が低下する）。
ここでボウル部内溜水１Ａの水位が低下するのと同時に、加圧排出部内溜水３Ａの水位も低下しているため、加圧排出部３内の空気の圧縮が低減される。
すなわち、洗浄水供給後に加圧排出部３へ向けて流動するボウル部１の貯溜物が加圧排出部３に達する前に加圧排出部３内の圧力を低下させることにより、圧縮空気による重量汚物搬送の阻害が低減される。
【００５８】
好ましい変形例としては、制御部６４は開閉弁２１を開く前に（ボウル部１の貯溜物（重量汚物及び周囲の貯溜、洗浄水）が、加圧排出部３へ向けて流動する前に）ポンプ３２を駆動することができる。この場合、開閉弁２１を開く際に加圧排出部３内は負圧になっているため、この負圧による吸引力を汚物搬送に供することができる。
【００５９】
別の変形例としては、制御部６４は給水用電磁弁６１を開く前に（洗浄吐水口６２により洗浄水を供給する前に）ポンプ３２を駆動することができる。この場合、加圧排出部内溜水３Ａの水位がポンプ吸い込み口３５の高さ未満にならないように留意する必要がある。
【００６０】
［圧送状態］ボウル部内溜水１Ａの水位、加圧排出部内溜水３Ａの水位が共に低下した後、ボウル部１の貯溜物が排水排出口１４を介して加圧排出部３内に達すると、加圧排出部内溜水３Ａの水位は上昇に転じる。
その後しばらく加圧排出部内溜水３Ａの水位は上昇するが、やがて約１００ｍｍをピークとして低下に転じる。
図１３（ａ）は、ボウル部内溜水１Ａの状態、図１３（ｂ）は、加圧排出部内溜水３Ａ状態が示されている。
その後、ボウル部内溜水１Ａの水位が略ゼロになり、加圧排出部内溜水３Ａの水位がポンプ吸い込み口３５の高さ未満になると、制御部６４はポンプ３２の駆動を停止する。これにより圧送状態は終了する。
【００６１】
［呼び水］制御部６４は、ポンプ３２の駆動停止後も給水用電磁弁６１、開閉弁２１の開状態を継続し、所定時間経過してから給水用電磁弁６１、開閉弁２１を閉じる（ポンプ３２の駆動停止後も加圧排出部３内に水を供給している。）。これは、前述した［初期状態］において、加圧排出部内溜水３Ａの水位をポンプ吸い込み口３５の高さより上の約３０ｍｍにするための呼び水制御である。
この呼び水制御の変形例としては、以下のものがある。
▲１▼ポンプ３２の駆動停止と同時に、給水用電磁弁６１、開閉弁２１を閉じる。この時、加圧排出部内溜水３Ａの水位はポンプ吸い込み口３５の高さ未満である。▲２▼次回の［圧送開始時］に、開閉弁２１の全開とポンプ３２の駆動開始を同時に行う前に、開閉弁２１を半開状態で所定時間維持する。これにより、ポンプ３２の駆動開始前に、加圧排出部内溜水３Ａの水位をポンプ吸い込み口３５の高さより上である約３０ｍｍとする。
【００６２】
ここで、開閉弁２１の全開とは、図６（ｂ）の状態を示すものとし、開閉弁２１の半開とは、図６（ａ）と図６（ｂ）の中間の状態を示すものとする。例えば図６（ｂ）を基準位置として、回動軸２３を中心として開閉弁２１を１０°回転させるのが半開状態、９０°回転させるのが全開状態とすることができる。
図１６は、本発明における第１１の実施形態を示す図であり、本実施形態の特徴は、溜水保持部２の開閉弁２１上流に排水トラップ１３を設けた点と、排水ユニット下部に、給水管コネクタ５２と排水管コネクタ５１とを備え、排水ユニットがキャスター９３を有するカートリッジカートを装着して可搬式である点である。前記排水管コネクタ５１と給水管コネクタ５２は、回動自在に接続される構造であってよく、排水ユニットの移動に際して、方向の制約が無くなるメリットがある。
【００６３】
また、前記カートリッジカートの上部には、排水ユニットを載置、固定するためのチャック構造を有して成り、例えば、側方からスライド、または、上方から押圧してチャックするような構造であってよい。また、さらに好適な実施形態としては、前記チャック構造が、前記二次給水系管路や一次排水系管路のコネクターを備え、該カートリッジカート上への前記排水ユニットの取り付けに際して、同時に配管接続施工を行える構造である。したがって、配管接続作業は、後のロック作業程度で別途行う必要が無く、容易に施工を完了できる。また、好適な実施形態としては、前記管路のコネクターは、給水本管と連通し二次給水系管路と接続される一次給水系管路や、下水本管と連通する二次排水系管路、とのコネクターをも備えていて良く、回動自在な構造である。したがって、カートリッジカート上の排水ユニットの設置方向を変えたい場合、従来のように、接続固定された管路のコネクターを緩めて作業する必要がない。また、前記コネクターに接続される管路は、可撓性を有する物であれば、さらに前記排水ユニットの機動性を向上することができる。
【００６４】
溜水保持部２に排水トラップ１３を備えた排水ユニットの場合、排水トラップ１３を有しない排水ユニットに比べて、加圧排出部３内の圧縮空気による汚物搬送の阻害の程度は小さくなる。
【００６５】
しかしながら、図１６のように、溜水保持部２がボウル部１の横方向に延び、加圧排出部３がボウル部１の横に位置する構成である以上、重量汚物は横方向へ移動せざるを得ず、多少なりとも加圧排出部３内の圧縮空気の影響を受けるため第１０の実施形態と同様の駆動制御を行うことは有効である。同様の駆動制御を行った場合、図１６に示す状態が［待機状態］、図１７に示す状態が［洗浄開始時］、図１８に示す状態が［圧送状態］、をそれぞれ示す。
本発明において、”横”とは真横のことを意味しない。”真下”以外は”横”の概念に含める。
【図面の簡単な説明】
【図１】第一の実施例に示す本発明の排水ユニットの構成
【図２】第二の実施例に示す本発明の排水ユニットの構成
【図３】第三の実施例に示す本発明の排水ユニットの組み立て図
【図４】第四の実施例に示す本発明の排水ユニットの組み立て図
【図５】第五の実施例に示す本発明の排水ユニットの組み立て図
【図６】第六の実施例に示す本発明の溜水保持部の概念図
【図７】第七の実施例に示す本発明の排水ユニット
【図８】第七の実施例に示す本発明の排水ユニットの構成
【図９】第八の実施例に示す本発明の排水ユニットの斜視図
【図１０】第九の実施例に示す本発明の排水ユニットの斜視図
【図１１】第１０の実施例に示す本発明の排水ユニットの動作状態フローの断面図
【図１２】第１０の実施例に示す本発明の排水ユニットの別の動作状態フローの断面図
【図１３】第１０の実施例に示す本発明の排水ユニットの別の動作状態フローの断面図
【図１４】第１０の実施例に示す本発明の排水ユニットの制御回路図例
【図１５】第１０の実施例に示す本発明の排水ユニットの動作フロー
【図１６】第１１の実施例に示す本発明の排水ユニットの動作状態（断面図）
【図１７】第１１の実施例に示す本発明の排水ユニットの動作状態（断面図）
【図１８】第１１の実施例に示す本発明の排水ユニットの動作状態（断面図）
【図１９】従来技術である特開平１１−３４２０９２号の構成
【図２０】従来技術である特開平１１−３４２０９２号の構成
【符号の説明】
１  ボウル部
１１  便座
１２  ベースプレート
１３  排水トラップ
１４  排水排出口
１５  フランジ
１６  取り付け用軸
２  溜水保持部
２１  開閉弁
２２  溜水保持部排水流入口
２３  開閉弁回動軸
２４  溜水保持部排水流出口
２５  下降管部
２６  上昇管部
２７  弁シート部
３  加圧排出部
３１  カゴ部
３２  ポンプ
３３  撹拌翼
３４  第一圧送管
３５  ポンプ吸い込み口
３６  水位検知部
３７  貯留槽
３８  加圧排出部排水流入口
４  固定部材
４１２，４１５  第一のプレート材
４１１，４１３  第二のプレート材
４１４  第三のプレート材
４１６  便座載置板
４２  フレーム材
４２１  ストッパー
４２２  第一のフレーム材
４２３  第二のフレーム材
４２４  第三のフレーム材
４３  固定具
４４  軸受け
４５  角度調整部
５  給排水電源コネクタ
５１  排水管コネクタ
５２  給水管コネクタ
５３  排水用逆流防止弁
５４  カートリッジカート
５５  給排水ユニット
６  局部洗浄便座
６１  給水用電磁弁
６２  洗浄吐水口
６３  お尻洗浄ノズル
６４  制御部
７１，７１１，７１２  電源コード
７２，７２１，７２２  二次給水可撓管
７３  一次給水可撓管
７４  一次排水可撓管
７５  二次排水可撓管
８  外装体
８１  背もたれ
８２  手摺り
８３  スライドガイド
８４  ベッド
８５  仮設用トイレ
９  手洗い器
９１  給排水コネクタ
９２  吐水栓
９３  キャスター
９４  屎尿タンク
１０１  電源回路
１０２  着座スイッチ
１０３  洗浄スイッチ
１０４  水位検知スイッチ
１０５  異常警告スイッチ
１０６  異常解除スイッチ
１Ａ  ボウル内溜水
３Ａ  加圧排出部内溜水
【図１】
0003778112.tif 000002
【図２】
0003778112.tif 000003
【図３】
0003778112.tif 000004
【図４】
0003778112.tif 000005
【図５】
0003778112.tif 000006
【図６】
0003778112.tif 000007
【図７】
0003778112.tif 000008
【図８】
0003778112.tif 000009
【図９】
0003778112.tif 000010
【図１０】
0003778112.tif 000011
【図１１】
0003778112.tif 000012
【図１２】
0003778112.tif 000013
【図１３】
0003778112.tif 000014
【図１４】
0003778112.tif 000015
【図１５】
0003778112.tif 000016
【図１６】
0003778112.tif 000017
【図１７】
0003778112.tif 000018
【図１８】
0003778112.tif 000019
【図１９】
0003778112.tif 000020
【図２０】
0003778112.tif 000021